(57)【要約】  光ファイバ組立体が、外側クラッドによって包囲される内側クラッドを提供する長手方向に延びるキャピラリの構造化された配置によって包囲される中空コアを備える中空コア光導波路と、クラッドによって包囲され、中空コア光導波路と実質的に平行に延びる中実コアを備える診断用中実コア光導波路と、中空コア光導波路と中実コア光導波路との両方を包囲し、中空コア光導波路および中実コア光導波路のための共通した機械的環境を形成するジャケットとを備える。光ファイバ組立体は、光ファイバケーブルであり得るか、光ファイバケーブルを備え得るか、または、光ファイバケーブルに含まれてもよく、中空コア光導波路を試験するための方法で使用され得る。
2022502717.tif 000002
【特許請求の範囲】
【請求項１】
外側クラッドによって包囲される内側クラッドを提供する長手方向に延びるキャピラリの構造化された配置によって包囲される中空コアを備える中空コア光導波路と、
クラッドによって包囲され、前記中空コア光導波路と実質的に平行に延びる中実コアを備える診断用中実コア光導波路と、
前記中空コア光導波路と前記中実コア光導波路との両方を包囲し、前記中空コア光導波路および前記中実コア光導波路のための共通した機械的環境を形成するジャケットと
を備える光ファイバ組立体。
【請求項２】
前記中空コア光導波路の１つまたは複数の性質と前記中実コア導波路の１つまたは複数の性質とが調和させられ、前記性質には、マイクロベンド感度、基本モードフィールド径、クラッドの外径、マクロベンド損失、バックグラウンド光減衰、および温度感度がある、請求項１に記載の光ファイバ組立体。
【請求項３】
前記中空コア光導波路は、フォトニックバンドギャップ効果によって前記中空コアに沿って光を案内するように構成されるフォトニックバンドギャップ導波路であり、前記内側クラッドは、長手方向に延びるキャピラリの微小構造化された規則正しい配列を備える、請求項１または２に記載の光ファイバ組立体。
【請求項４】
前記中空コア光導波路は、反共振効果によって前記中空コアに沿って光を案内するように構成される反共振導波路であり、前記内側クラッドは、長手方向に延びるキャピラリの輪を備える、請求項１または２に記載の光ファイバ組立体。
【請求項５】
前記中空コア光導波路は入れ子反共振無ノード中空コア導波路であり、前記内側クラッドは、各々の長手方向に延びるキャピラリの中に入れ子にされる１つまたは複数の追加のキャピラリを備える、請求項４に記載の光ファイバ組立体。
【請求項６】
前記中実コア光導波路の前記中実コアは、前記外側クラッドが前記中実コア光導波路の前記クラッドとして作用するように、前記中空コア光導波路の前記外側クラッドに埋め込まれ、前記光ファイバ組立体は、１つまたは複数の追加の中実コア光導波路を提供するために、前記外側クラッドに埋め込まれる１つまたは複数の追加の中実コアを任意選択で含む、請求項１から５のいずれか一項に記載の光ファイバ組立体。
【請求項７】
前記中空コア光導波路は前記中実コア光導波路の中に位置付けられ、前記中空コア光導波路の前記外側クラッドおよび前記中実コア光導波路の前記コアは、前記中空コア光導波路の前記内側クラッドと前記中実コア光導波路の前記クラッドとの間に位置決めされる同じ層である、請求項１から５のいずれか一項に記載の光ファイバ組立体。
【請求項８】
前記中空コア光導波路の前記中空コア、前記内側クラッド、および前記外側クラッドは第１の光ファイバ素線を形成し、前記中実コア光導波路の前記中実コアおよび前記クラッドは、前記第１の光ファイバ素線と異なる第２の光ファイバ素線を形成し、前記ジャケットは、前記第１の光ファイバ素線と前記第２の光ファイバ素線とを包囲する被覆である、請求項１から５のいずれか一項に記載の光ファイバ組立体。
【請求項９】
前記中空コア光導波路の前記中空コア、前記内側クラッド、および前記外側クラッドは、被覆層を有する第１の光ファイバ素線を形成し、前記中実コア導波路の前記中実コアおよび前記クラッドは、被覆層を有し、前記第１の光ファイバ素線と異なる第２の光ファイバ素線を形成し、前記ジャケットは、前記第１の被覆光ファイバ素線と前記第２の被覆光ファイバ素線とを包囲する材料の層である、請求項１から５のいずれか一項に記載の光ファイバ組立体。
【請求項１０】
追加の第１の被覆光ファイバ素線および／または第２の被覆光ファイバ素線をさらに備え、前記第１の被覆光ファイバ素線および前記第２の被覆光ファイバ素線は、前記被覆光ファイバ素線が前記ジャケットによって包囲されるとき、前記光ファイバ組立体が光ファイバリボンを形成するように、１つまたは複数の列で配置される、請求項９に記載の光ファイバ組立体。
【請求項１１】
前記中空コア光導波路の前記中空コア、前記内側クラッド、および前記外側クラッドは、被覆層を有する第１の光ファイバ素線を形成し、前記中実コア光導波路の前記中実コアおよび前記クラッドは、被覆層を有し、前記第１の光ファイバ素線と異なる第２の光ファイバ素線を形成し、前記光ファイバ組立体は、前記被覆光ファイバ素線を包囲する内側緩衝層をさらに備え、前記ジャケットは、前記内側緩衝層を包囲する外側緩衝層である、請求項１から５のいずれか一項に記載の光ファイバ組立体。
【請求項１２】
前記中空コア光導波路の前記中空コア、前記内側クラッド、および前記外側クラッドは、被覆層を有する第１の光ファイバ素線を形成し、前記中実コア光導波路の前記中実コアおよび前記クラッドは、被覆層を有し、前記第１の光ファイバ素線と異なる第２の光ファイバ素線を形成し、前記ジャケットは、前記第１の被覆光ファイバ素線と前記第２の被覆光ファイバ素線とを包囲する中空管を備え、前記光ファイバ組立体は、前記被覆ファイバ素線と前記中空管との間の空間を占める充填材料をさらに備える、請求項１から５のいずれか一項に記載の光ファイバ組立体。
【請求項１３】
前記中空コア光導波路の前記中空コア、前記内側クラッド、および前記外側クラッドは、被覆層を有する第１の光ファイバ素線を形成し、前記中実コア光導波路の前記中実コアおよび前記クラッドは、被覆層を有する第２の光ファイバ素線を形成し、前記光ファイバ組立体は、各々の被覆ファイバ素線を含む中空管と、各々の中空管における前記被覆ファイバ素線の周りの充填材料とをさらに備え、前記ジャケットは、各々の中空管を包囲する材料を備える、請求項１から５のいずれか一項に記載の光ファイバ組立体。
【請求項１４】
前記中空コア光導波路および前記中実コア光導波路と実質的に平行に延び、前記ジャケットによって包囲される細長い強化体をさらに備える、請求項１から１３のいずれか一項に記載の光ファイバ組立体。
【請求項１５】
少なくとも１つの追加の中空コア光導波路をさらに備える、請求項１から１４のいずれか一項に記載の光ファイバ組立体。
【請求項１６】
少なくとも１つの追加の中実コア光導波路をさらに備える、請求項１から１５のいずれか一項に記載の光ファイバ組立体。
【請求項１７】
請求項１から１６のいずれか一項に記載の光ファイバ組立体を少なくとも１つ備えるかまたは含む光ファイバケーブル。
【請求項１８】
中空コア光導波路を試験する方法であって、
請求項１から１６のいずれか一項に記載の光ファイバ組立体における前記中空コア光導波路を提供するステップと、
１つまたは複数の試験光信号を前記光ファイバ組立体の前記中実コア光導波路へと放つステップと、
前記光ファイバ組立体の一端または両端に近接して、前記中実コア光導波路から放出された前記試験光信号の一部分を検出するステップと、
前記中実コア光導波路の状態を決定するために前記試験光信号の前記検出された一部分を分析するステップと、
前記光ファイバ組立体の前記中空コア光導波路の状態を、前記中実コア光導波路の前記決定された状態から推測するステップと、
前記中空コア光導波路の前記推測された状態に従って、前記光ファイバ組立体を動作可能または動作不可能として指定するステップと
を含む方法。
【請求項１９】
前記光ファイバ組立体は、光ファイバケーブルであるか、光ファイバケーブルを備えるか、または光ファイバケーブルに含まれ、前記方法は、前記１つまたは複数の試験光信号を放つ前記ステップの前または最中に、前記光ファイバケーブルを光信号伝送経路として展開するステップをさらに含む、請求項１８に記載の方法。
【請求項２０】
前記放つステップ、前記検出するステップ、および前記分析するステップは、光ファイバを試験するためのビジュアルファイバトレーサ技術、ビジュアルフォルトロケータ技術、光時間領域後方散乱測定技術、または光周波数領域反射測定技術に従う、請求項１８に記載の方法。
【発明の詳細な説明】
【技術分野】
【０００１】
本発明は、光ファイバ組立体と、光ファイバ組立体を使用する方法とに関する。
【背景技術】
【０００２】
光ファイバの重要な使用は、短距離および長距離の両方にわたっての、電気通信用途においてなどのデータの伝送にある。従来、単一の光学モード（シングルモードまたはＳＭファイバ）または複数の光学モード（マルチモードまたはＭＭファイバ）の伝搬のために構成された中実導波コアを有する光ファイバが使用されてきた。広く使用されてきた例は、約１５５０ｎｍの波長での光学信号を伝えるシリカ光ファイバであり、シリカは、信号が最小限の減衰で長い距離にわたって伝搬させられ得るように、最小限の損失を有する。データ信号を伝えるための光ファイバは、ファイバの展開および使用の間にファイバを保護する外側ジャケットの中に１つまたは複数のファイバを含むケーブルへとパッケージ化され得る。
【０００３】
ケーブルの設置の間、および、その後の保守のために、様々な試験技術が、データ伝送が効果的であり、ファイバが追加的な損失を引き起こす破断またはかなりの曲げなどの不具合のないことを立証するために使用され得る。試験技術には、ケーブルの設置の最中およびその後の破断を確認するためのビジュアルファイバトレーサ、ビジュアルフォルトロケータ、および光損失試験セット（ＯＬＴＳ）の使用（連続試験）と、ＯＬＴＳを使用する設置されたファイバにおける減衰レベルの測定（挿入損失）と、ファイバ長さに沿っての分布された光損失プロフィール、設置の品質、および保守についての品質を検証するための、設置されたファイバにおける光時間領域後方散乱測定法（ＯＴＤＲ）または時には光周波数領域反射測定方法（ＯＦＤＲ）による測定の使用とがある。
【０００４】
ビジュアルファイバトレーサおよびビジュアルフォルトロケータの試験方法は可視光を使用し、ＯＴＤＲは光ファイバ内からの後方散乱を測定する。したがって、これらの技術は、従来の中実コア光ファイバケーブルのために良好に適合されているが、導波機能を作り出すために構造化された内側クラッドを使用するより最近に開発された種類の光ファイバ、つまり中空コア光ファイバでは、十分に機能しない、または全く機能しない傾向がある。しばしば、中空コア構造は可視光を伝送せず、中心コアに物質のないことは、広く展開されている標準的で高い性能の専門的なＯＴＤＲシステムによって必要とされるレベル未満にレイリー後方散乱を低減することができる。
【０００５】
中空コア光ファイバは、光学データ伝送用途にとって相当に興味のあるものである。中空コア光ファイバは、幅広い光伝送帯域幅と小さな伝送損失とをもたらす従来の中実コアファイバの代替となるものを提供し、中実材料において進む光波に影響を与え得る非線形効果および熱光学効果などの問題のないより大きな光出力の伝搬を可能にする。しかしながら、中空コア光ファイバの従来の試験方法との不適合は、この用途を開発することにとって相当の障害であり、つまり、設置の品質を試験することと、現場で設置された中空コア光ファイバの完全性および性能品質のより長い期間での確認とが困難になっている。そのため、設置の間の試験、およびその後の保守のための試験を含め、中空コア光ファイバ、および中空コア光ファイバを含むケーブルの試験を可能にするための手法は、興味のあるものである。
【発明の概要】
【課題を解決するための手段】
【０００６】
態様および実施形態が添付の請求項に述べられている。
【０００７】
本明細書に記載されている特定の実施形態の第１の態様によれば、外側クラッドによって包囲される内側クラッドを提供する長手方向に延びるキャピラリの構造化された配置によって包囲される中空コアを備える中空コア光導波路と、クラッドによって包囲され、中空コア導波路と実質的に平行に延びる中実コアを備える診断用中実コア光導波路と、中空コア光導波路と中実コア光導波路との両方を包囲し、中空コア光導波路および中実コア光導波路のための共通した機械的環境を形成するジャケットとを備える光ファイバ組立体が提供される。
【０００８】
本明細書に記載されている特定の実施形態の第２の態様によれば、第１の態様による光ファイバ組立体を少なくとも１つ備えるかまたは含む光ファイバケーブルが提供される。
【０００９】
本明細書に記載されている特定の実施形態の第３の態様によれば、中空コア光導波路を試験する方法であって、第１の態様による光ファイバ組立体における中空コア光導波路を提供するステップと、１つまたは複数の試験光信号を光ファイバ組立体の中実コア光導波路へと放つステップと、光ファイバ組立体の一端または両端に近接して、中実コア光導波路から放出された試験光信号の一部分を検出するステップと、中実コア光導波路の状態を決定するために試験光信号の検出された一部分を分析するステップと、光ファイバ組立体の中空コア光導波路の状態を、中実コア導波路の決定された状態から推測するステップと、中空コア光導波路の推測された状態に従って、光ファイバ組立体を動作可能または動作不可能として指定するステップとを含む方法が提供される。
【００１０】
特定の実施形態のこれらの態様およびさらなる態様が、添付の独立請求項および従属請求項において述べられている。従属請求項の特徴が、請求項において明示的に述べられている組み合わせ以外の組み合わせで、互いと、および、独立請求項の特徴と組み合わせることができることは、理解されるものである。さらに、本明細書に記載されている手法は、以下に述べられているものなどの特定の実施形態に限定されず、本明細書に提示されている特徴の任意の適切な組み合わせを含み、検討している。例えば、光ファイバ組立体および方法は、以下に記載されている様々な特徴のうちの１つまたは複数を適切に含む本明細書に記載されている手法に従って提供され得る。
【００１１】
本発明のより良好な理解のために、および、本発明がどのように実行され得るかを示すために、ここで添付の図面が例として参照される。
【図面の簡単な説明】
【００１２】
【図１】本開示が適用可能である例の中空コアフォトニックバンドギャップ光ファイバの概略的な横断での断面図である。
【図２】本開示が適用可能である第１の例の反共振中空コア光ファイバの概略的な横断での断面図である。
【図３】本開示が適用可能である第２の例の反共振中空コア光ファイバの概略的な横断での断面図である。
【図４】本開示による第１の例の光ファイバ組立体の概略的な横断での断面図である。
【図５】本開示による第２の例の光ファイバ組立体の概略的な横断での断面図である。
【図６】本開示による第３の例の光ファイバ組立体の概略的な横断での断面図である。
【図７】本開示による第４の例の光ファイバ組立体の概略的な横断での断面図である。
【図８】本開示による第５の例の光ファイバ組立体の概略的な横断での断面図である。
【図９】本開示による第６の例の光ファイバ組立体の概略的な横断での断面図である。
【図１０】本開示による第７の例の光ファイバ組立体の概略的な横断での断面図である。
【図１１】本開示による第８の例の光ファイバ組立体の概略的な横断での断面図である。
【図１２】本開示による光ファイバ組立体試験方法の流れ図である。
【図１３】本開示の方法による試験を受ける、本開示による例の光ファイバ組立体の単純化された概略図である。
【発明を実施するための形態】
【００１３】
特定の例および実施形態の態様および特徴が本明細書において検討／記載されている。特定の例および実施形態の一部の態様および特徴は、従来から実施されている可能性があり、これらは簡潔性のため詳細には検討／記載されていない。したがって、詳細に記載されていない本明細書で検討されている光ファイバ組立体および方法の態様および特徴は、このような態様および特徴を実施するための従来の技術に従って実施され得ることは、理解されるものである。
【００１４】
本開示は、共通または共用のジャケットにおいて一緒にパッケージ化される中空コア光導波路と中実コア光導波路とを備える光ファイバ組立体を提案する。中空コア導波路はデータ伝送などの用途に意図されており、中実コア導波路は、組立体が使用のための中空コア導波路の展開の最中および後に試験できるように、可視光および／または散乱を使用する従来のファイバ試験方法の使用を可能にする。
【００１５】
中空コア光ファイバは、光が案内されるコアを有し、コアは、中心の空所（一般的に空気で満たされるが、代替で、別の気体もしくは気体の混合物、または真空で満たされる）を備え、ファイバ長さに沿って延びる長手方向のキャピラリの構造化された配置を備えるクラッドによって包囲される。中実ガラスコアのないことは、中実コアファイバと比較して、ガラスにおいて伝搬する案内された光波の割合を低下させ、伝搬速度の増加、吸収と散乱との両方からの損失の低減、および非線形相互作用の低減などの便益をもたらす。
【００１６】
中空コアファイバは、その導光性の機構に応じて２つの原理的な部類または種類、すなわち、中空コアフォトニックバンドギャップファイバ（ＨＣＰＢＦ：  Ｈｏｌｌｏｗ  Ｃｏｒｅ  Ｐｈｏｔｏｎｉｃ  Ｂａｎｄｇａｐ  Ｆｉｂｒｅ、代わりに、中空コアフォトニック結晶ファイバ（ＨＣＰＣＦ：  Ｈｏｌｌｏｗ  Ｃｏｒｅ  Ｐｈｏｔｏｎｉｃ  Ｃｒｙｓｔａｌ  Ｆｉｂｒｅ）としばしば称される）［１］と、反共振中空コアファイバ（ＡＲ−ＨＣＦ：  ＡｎｔｉＲｅｓｏｎａｎｔ  Ｈｏｌｌｏｗ  Ｃｏｒｅ  Ｆｉｂｒｅ、またはＡＲＦ）［２］とに分類できる。カゴメファイバ［３、４］、入れ子反共振無ノードファイバ（ＮＡＮＦ：  Ｎｅｓｔｅｄ  Ａｎｔｉｒｅｓｏｎａｎｔ  Ｎｏｄｅｌｅｓｓ  Ｆｉｂｒｅ）［５］、および管状ファイバ［６］を含め、形状的な構造によって特徴付けられるＡＲＦの様々な下位の分類がある。本開示は、これらの２つの主要な部類、それらの関連する下位の種類に加えて、他の中空コアの設計を含め、すべての種類の中空コアファイバに適用可能である。技術的に、様々な部類のファイバについて、用語のいくらかの重複する使用があることは留意されたい。本開示の目的のために、「中空コアファイバ」という用語は、前述したような中空コアを有するすべての種類のこれらのファイバを網羅するように意図されている。「ＨＣＰＢＦ」および「ＨＣＰＣＦ」という用語は、フォトニックバンドギャップ効果（後でより詳細に説明されている）により導波を提供する構造を有する中空コアファイバに言及するために使用されている。「ＡＲＦ」および「反共振中空コアファイバ」という用語は、反共振効果（同じく後でより詳細に説明されている）により導波を提供する構造を有する中空コアファイバに言及するために使用されている。
【００１７】
図１は例のＨＣＰＢＦ１０の断面図を示している。このファイバの種類では、構造化された内側のクラッド１が、中心群が実質的に円形の中空コア２を定めるために排除される多くの小さいガラスキャピラリの規則正しい密に詰められた配列を備える。クラッド構造の周期性は、周期的に構造化された屈折率を提供し、延いては、伝搬する光波をコアに向けて閉じ込めるフォトニックバンドギャップ効果を提供する。これらのファイバは、コア２を作るために排除されるクラッドキャピラリまたは「セル」の数の観点から記載できる。図１の例では、配列からの中心の１９個のセルがコア領域に存在せず、これを１９−セルコアＨＣＰＢＦとしている。構造化されたクラッド１は、クラッドの外面の真円度を向上させるために、コア２を包囲するセルの６個の輪に加えて、第７の輪における一部のセルから形成されている。固体の外側クラッド３が構造化されたクラッド１を包囲している。
【００１８】
簡潔性のために、図１はＨＣＰＢＦの構造的なガラス要素だけを示している。単一の光ファイバ素線としての実際の使用について、外側クラッド３はポリマ層で概して被覆され、そのポリマ層は、単一の層であり得るか、または、異なるポリマの二重の層の構成であり得る。この層は、外側クラッド３における光の伝搬を奪い去ることで光学的な機能を提供し、これを達成するために外側クラッド３より大きい屈折率を有する。擦れ、水の侵入、および他の環境の影響からの物理的な保護と共に、そうでない場合にマイクロベンド損失を引き起こし得るコアへの機械的な摂動の伝達を抑制することで、機械的な機能が提供されもする。
【００１９】
ＨＣＰＢＦと対照的に、反共振中空コアファイバは、反共振導光性効果によって光を案内する。ＡＲＦの構造化されたクラッドは、フォトニックバンドギャップ効果が著しくならないように大きな度合いの周期性を欠く構造を与えるために、ＨＣＰＢＦよりはるかに少ない数のより大きなガラスのキャピラリまたは管を備えるより単純な構成を有する。むしろ、反共振は、クラッドのキャピラリの壁厚と共鳴しない伝搬波長のために提供され、別の言い方をすれば、クラッドのキャピラリの壁厚によって定められる反共振窓における波長のために提供される。クラッドのキャピラリは、ファイバの中空コアを提供し、反共振で案内される光学モードを支持することができる中心の空所または空洞を包囲する。構造化されたクラッドは、キャピラリの壁のガラスにおいて、または、クラッドのキャピラリとファイバの外側クラッドとの間の空間または間隔において、主にキャピラリの内側で伝搬することができるクラッドモードも支持できる。これらの追加のコアでない案内モードの損失は、コアで案内されるモードの損失より概してはるかに大きい。基本のコアで案内されるモードは、典型的には、コアで案内されるモードのうち圧倒的に最も小さい損失を典型的には有する。伝搬する光の波長と反共振であるキャピラリの壁厚によって提供される反共振は、基本コアモードと任意のクラッドモードとの間の結合を阻止するように作用し、そのため光はコアに閉じ込められ、非常に小さい損失で伝搬することができる。
【００２０】
図２は、例の単純な反共振中空コアファイバの横断での断面図を示している。ファイバ１０は外側管状クラッド３を有する。構造化された内側のクラッド１は複数の管状のクラッドのキャピラリ１４を備え、クラッドのキャピラリ１４は、この例では同じ断面の大きさおよび形の７個のキャピラリであり、各々のクラッドのキャピラリ１４の長手方向軸と外側クラッド３の長手方向軸とが実質的に平行となるように、外側クラッド３の内側で輪になって配置されている。各々のクラッドのキャピラリ１４は、クラッドのキャピラリ１４が外側クラッド３の内側周辺の周りで均等に離間され、隙間ｓによって互いから離間されもするように（隣接するキャピラリ同士の間に接触がない）、場所１６において外側クラッド３の内面と接触している（接合されている）。ＡＲＦの一部の設計では、クラッド管１４同士は互いと接触して位置決めされてもよいが（別の言い方をすれば、図２にあるように離間されなくてもよいが）、この接触を排除するための間隔はファイバの光学的性能を向上させることができる。間隔ｓは、隣接する管同士の間の接触位置において生じ、大きな損失をもたらす望ましくない共振を引き起こそうとする光ノードを排除する。したがって、離間されているクラッドのキャピラリを伴うファイバは「無ノード反共振中空コアファイバ」と称されてもよい。
【００２１】
管状外側クラッド３の内側の周りにおける輪でのクラッドのキャピラリ１４の配置は、外側クラッド３の長手方向の軸およびキャピラリ１４の長手方向の軸と平行である長手方向の軸を伴い、ファイバの中空コア２である中心の空間、空洞、または空所をファイバ１０の中に作り出す。コア２は、クラッドのキャピラリ１４の外面の内側を向く部分によって境界付けられる。これはコア境界であり、この境界を作り上げるキャピラリの壁の材料（例えば、ガラスまたはポリマ）は、必要とされる反共振導光性の効果または機構を提供する。キャピラリ１４は、反共振の光の案内がＡＲＦにおいて起こる波長を定める厚さｔをコア境界において有する。
【００２２】
図２はＡＲＦの単なる一例を示している。多くの他の可能なＡＲＦ構造が、本明細書に記載されているように光ファイバ組立体において使用され得る。
【００２３】
図３は第２の例のＡＲＦの横断での断面図を示している。ＡＲＦは、管状外側クラッド３の内面の周りで均等に離間されて中空コア２を包囲する６個のクラッドのキャピラリ１４を備える構造化された内側のクラッド１を有する。各々のクラッドのキャピラリ１４は、その内側に入れ子にされ、この例では一次キャピラリ１４と外側クラッド３との間の接合の点と同じ方位角の場所１６において、クラッドのキャピラリ１４の内面に接合された二次的なより小さいキャピラリ１８を有する。これらの追加のより小さいキャピラリ１８は光損失を低減することができる。追加のなおもより小さい第３のキャピラリが二次キャピラリ１８の内側で入れ子にされてもよい。二次的で任意選択のより小さいさらなるキャピラリを伴うこの種類のＡＲＦ設計は、「入れ子反共振無ノードファイバ」またはＮＡＮＦ［５］と称されてもよい。ＮＡＮＦは、クラッド構造の規則性を定めるのを助けるために位置決めされるより小さい管またはキャピラリも備え得る。
【００２４】
ＡＲＦの構造化されたクラッドのための多くの他のキャピラリ構成が可能であり、本開示は前述した例に限定されない。例えば、キャピラリは、円形の断面のものである必要はない、ならびに／または、すべて同じ大きさおよび／もしくは形のものであってもなくてもよい。コアを包囲するキャピラリの数は、例えば、４個、５個、６個、７個、８個、９個、または１０個であり得るが、他の数も排除されない。ＡＲＦはまた、図１を参照して前述したように、外側クラッド３を光ファイバ素線として実用的に使用可能とさせるために、外側クラッド３の周りに１つまたは複数の被覆の層を典型的には有する。
【００２５】
ＡＲＦにおけるクラッドのキャピラリの輪は、一連の隣接する内向きに湾曲する表面（つまり、コアの観点からは凸状の表面）を備える形を有するコア境界を作り出す。これは、従来の中実コアファイバにおけるコア−クラッドの境界面の通常は外向きの湾曲、および、ＨＣＰＢＦの実質的に円形のコア境界（図１参照）とは対照的である。したがって、反共振中空コアファイバは、負の湾曲のファイバと記載することができる。ＡＲＦのカゴメ分類は、負の湾曲のファイバとして構成されてもよく、ＨＣＰＢＦと同様であるがフォトニックバンドギャップを提供するように構成されない配列で、複数の小さいキャピラリの構造化されたクラッドを有する。ＨＣＰＢＦと対照的に、案内機構は反共振効果によって動作する。
【００２６】
本明細書では、中空コア光ファイバ、中空コアファイバ、中空コア導波路、中空コア光導波路、および同様の用語は、上記の例および同様の構造のいずれかにより構成される導光性構造を網羅するように意図されており、光は、複数の長手方向のキャピラリを備える構造化されたクラッドによって包囲される中空の細長い空所またはコアにおいて、いくつかの案内機構（フォトニックバンドギャップ案内、反共振案内、および／または、阻止された結合の案内）のいずれかによって案内される。キャピラリは、光ファイバの長さまたは長手方向の延在に沿って連続的に延びる細長い孔、空所、管腔、セル、または空洞を備えるかまたは定め、その細長い孔、空所、管腔、セル、または空洞は、同じくファイバの長さに沿って連続的に延びる細長いコアと実質的に平行である。これらの様々な用語は、本開示において置き換え可能に使用され得る。
【００２７】
本開示によれば、共通または共用のジャケットの中で一緒に保持または結び付けられる中空コアの光ファイバまたは光導波路と中実コアの光ファイバまたは光導波路とを備える光ファイバ組立体が提案されている。導波路同士は、それらの長手方向の軸が実質的に平行な状態で、それらのコア同士が並んだ構成にある状態で、ジャケットを貫く横断の断面が中空コア導波路および中実コア導波路の横断の断面を含むように、ジャケットの内側に配置され得る。「平行」は、導波路が必ず直線を辿ることを示しているのではなく、コアからコアへの距離が大まかに一定であることを記載しているだけであることは留意されたい。導波路は真っ直ぐであり得るが、他の例では、導波路同士は、一体に撚り合わされてもよい、または、湾曲または螺旋の線を辿ってもよい（これは、光ファイバケーブルにおいて一緒に束ねられる導波路についての共通の配置であり、ファイバ同士は、温度などの要因への感度を軽減するのを助けるために、定められた長さにわたって周期的に撚り合わされる）。したがって、組立体が中空コア導波路の使用のために展開または設置されるとき、中実コア導波路は実質的に同じかまたは同様の物理的経路を辿る。光ファイバ試験方法が中実コア導波路を用いて実施でき、その結果は、共用のジャケットの内側での中空コア導波路および中実コア導波路の近接、共用の物理的な位置、および状態のおかげで、中空コア導波路の起こり得る状態を推定するために使用できる。中実コア導波路は、試験によって決定されるその動作状態が中空コア導波路の動作状態を診断するために使用できるため、診断用の導波路として考慮または記載され得る。２つ以上の中空コア導波路が組立体に含まれてもよい。同様に、２つ以上の中実コア導波路が組立体に含まれてもよい。２つ以上の異なる種類もしくは構成の中空コア導波路、および／または、２つ以上の異なる種類もしくは構成の中実コア導波路が単一の組立体に含まれてもよい。組立体は、展開が光信号伝送経路（例えば、データ伝送のための経路）を提供するために構成された光ファイバケーブルとして、またはそのような光ファイバケーブルにおいて構成されてもよく、例えば、ケーブルのための必要とされる構造または組成を提供するために、導波路とジャケットとの間に１つまたは複数の層があり得る。ケーブルは１つまたは複数の光ファイバ組立体を備えてもよい。様々な選択肢は、中空コア導波路と中実コア導波路との間により多くの層またはより少ない層を利用することになり、したがって、中実コア導波路を使用して中空コア導波路において診断を実施することの容易性、中実コア導波路を使用して測定または回収される試験情報が中空コア導波路の条件または状態をどれだけ厳密に反映するかを決定することができる、中空コア導波路と中実コア導波路との間の物理的（機械的）な結合の度合いまたはレベル、ならびに、組立体が含まれる組立体および任意のケーブルの製作の容易性などの因子同士の間で、異なるバランスを提供するかまたは妥協することになる。
【００２８】
単純な形態において、光ファイバ組立体は、外側クラッドによって包囲される内側クラッドを提供する長手方向に延びるキャピラリの構造化された配置によって包囲される中空コアを備える中空コア光導波路と、クラッドによって包囲され、中空コア導波路と実質的に平行に延びる中実コアを備える中実コア光導波路と、中空コア光導波路と中実コア光導波路との両方を包囲するジャケットとを備える。ジャケットは、組立体の外側層であり、導波路を直接的に包囲できるか、または、１つもしくは複数の中間層が導波路の外面とジャケットとの間に提供され得る点において導波路を間接的に包囲できる。導波路は個々の被覆層を有し得る。導波路同士は、ジャケットの中で互いから区別してもよい、または、１つもしくは複数のコア、クラッド要素、または層を共用してもよい。後でより詳細に記載されているように、他の変形も可能である。
【００２９】
中実コア導波路は、第１の屈折率の値を有する固体材料のコアを備え、そのコアが、第１の屈折率の値より小さい第２の屈折率の値を有する別の材料のクラッドによって覆われる点において、従来の導波のために構成される。したがって、１つまたは複数のコアモードにおける光は、コアとクラッドとの間の屈折率の違いのおかげで、知られている手法で、コアとクラッドとの境界における全内部反射によって、コアに沿っての伝搬に向けて案内される。コアの屈折率は、導波路の横断の輪郭にわたって一定であり得るかまたは変化し得る（段階的とされ得る）。コアは、主に１つの光学モードだけを案内するように構成でき、そのため導波路はシングルモードの導波路として動作し、または、コアは、成功裏の伝搬のために２つ以上の光学モードを支持するように構成でき、そのため導波路はマルチモードの導波路である。知られている様々な機構は、望ましくても望ましくなくても状況に応じて、ある光をコアからクラッドへと結合し、クラッド自体は、概して望ましくないが、１つまたは複数のクラッドモードを支持することができる。
【００３０】
中実コア導波路を従来の光ファイバ試験機器と使用させることができるようにするために、中実コア導波路は、適切な波長、つまり、約４００ｎｍから７００ｎｍの間の視認可能なスペクトルにおける１つもしくは複数の波長または波長範囲に対して、伝送可能であるように好ましくは構成される。ビジュアルファイバ光学トレーサシステムが、試験においてファイバへと放つための比較的低出力の試験光を提供するために、白熱電球または可視スペクトルの発光ダイオード（ＬＥＤ）をその光源として典型的には使用する。ビジュアルフォルトロケータが、赤色のヘリウムネオン（ＨｅＮｅ）レーザーまたは可視スペクトルレーザーダイオードからなど、より高い出力の可視光を使用でき、例えば６３５ｎｍから６５０ｎｍを発する。伝送可能ということによって、可視波長または選択の波長において、中実コア導波路が約２０ｄＢ／ｋｍ以下の損失または減衰を有することが意味される。ビジュアルトレーサおよびビジュアルフォルトロケータは、導波路に沿っての前方方向、つまり、光が放たれる導波路の端から離れる方向に伝搬する光を利用する。対照的に、ＯＴＤＲの技術は、導波路の材料における後方散乱と、ファイバ構造におけるコネクタ、スプライス、または傷からの後方反射とから生じ、導波路の放つ端へと戻る後向きに伝搬する光の検出を頼りにする。したがって、ＯＴＤＲシステムによる効果的な試験のために、中実コア導波路は、ＯＴＤＲに適した波長で良好な伝送を有し得る。例えば、一般的に使用される従来の市販されているＯＴＤＲシステムは、１３１０ｎｍ、１５５０ｎｍ、および１６２５ｎｍの近傍における波長で光をしばしば使用する。中実コア導波路は、Ｃｏｒｎｉｎｇ（登録商標）Ｉｎｃｏｒｐｏｒａｔｅｄによって製造されるＳＭＦ  ２８ｅ＋（登録商標）シングルモード光ファイバなど、従来のシングルモードまたはマルチモードの導波路（ファイバ）と同じまたは同様であるレイリー後方散乱係数を有し得る。例えば、中実コア導波路は、１５５０ｎｍの波長において１ｎｓの持続時間のパルスについて、−８２ｄＢ以上など、−８８ｄＢ以上であるレイリー後方散乱係数を有し得る。他の性質を従来のシングルモードまたはマルチモードの導波路のものと同じまたは同様にすることも、従来の光ファイバ試験機器との光ファイバ組立体の互換性を最適化するために有益である。
【００３１】
中空コアファイバの状態の正確な診断のために、中実コア導波路の性質は中空コアファイバの性質と調和または近似させられ得る。例えば、中実コア導波路は、例えば、中空コア導波路の意図された動作波長またはＯＴＤＲ試験波長（典型的には、先に記したような１３１０ｎｍ、１５５０ｎｍ、および／または１６２５ｎｍ）といった、１つまたは複数の波長における中空コア導波路のマイクロベンド感度と同様のマイクロベンド感度を有し得る。マイクロベンドは、ファイバの環境（例えば、ファイバが巻かれる表面の粗さによる）、不完全な被覆、および／またはケーブルの敷設と関連するものなど、機械的な影響から典型的には生じるファイバの長さに沿っての小さい（曲げ）摂動を表している。典型的な特性長は１ｍｍ未満である。これらの摂動の影響は、基本の案内されるモードからの光出力を他のより損失の大きいモード（クラッドモードなど）へ結合することであり、これは、所望の基本モードについての減衰の増加として現れる。マイクロベンド感度は、この損失機構が導波路に影響する度合いを示す。本開示について、中実コア導波路は、１５０％まで、１２０％まで、１００％まで、または、中空コア導波路の感度とほとんど等しいなど、少なくとも１つの波長において中空コア導波路のマイクロベンド感度の２００％までのマイクロベンド感度を有し得る。他の例では、中実コア導波路は、中空コア導波路のマイクロベンド感度の１０％〜２００％、１０％〜１５０％、５０％〜２００％、５０％〜１５０％、または８０％〜１２０％の範囲にあるマイクロベンド感度を有し得る。しかしながら、これらの限度内での中空コア導波路と中実コア導波路との間のマイクロベンド感度の調和は必須ではない。
【００３２】
中実コア導波路のコアはシリカから形成され得る。シリカは、ドープされてもされなくてもよく、溶融されてもされなくてもよい。例えば、コアは、ゲルマニウム、リン、およびアルミニウムのうちの１つまたは複数でドープされたシリカ（溶融されているかまたはされていない）から成り得る。同様に、中実コアの周りのクラッドはシリカから形成されてもよく、そのシリカは、溶融されたシリカとでき、ドープされてもされなくてもよい。例えば、クラッドは、フッ素および／もしくはホウ素でドープされたシリカ、または、フッ素および／もしくはホウ素でドープされた溶融シリカから成り得る。しかしながら、中実コア導波路はシリカから形成されることに限定されず、ドープを伴うかまたは伴わない他の材料が、コアおよびクラッドのいずれかまたは両方に使用されてもよい。同様に、他のドーパント材料が使用されてもよい。
【００３３】
中実コアの周りのクラッドは固体であってもよい。代替で、中実コアは、コアに隣接し、コアと実質的に平行にクラッド材料を貫いて延びる細長い孔または管腔などで構造化されてもよい。
【００３４】
中実コア導波路は、シングルモード導波路、マルチモード導波路、または、２つ、３つ、４つ、もしくは５つなどの少数のモード（数モード）を伝搬させるように構成された導波路として構成され得る。
【００３５】
図４は、第１の例による光ファイバ組立体の単純化された概略的な横断での断面図を示している。組立体２０は、ＨＣＰＢＦの種類の中空コア導波路として構成された中空コア導波路を備える。中空コア導波路は、フォトニックバンドギャップ効果による導波のために構成されたキャピラリの微小構造化された配列の形態で内側クラッドによって包囲された中空コア２を備え、図１の例にあるように、導波路は１９−セルコアＨＣＰＢＦであるが、この場合では、内側クラッド１を形成する微小構造化されたキャピラリ配列がセルの６個の輪だけを備える。内側クラッド１の外側は、内側クラッド１を包囲する外側クラッド層３である。６個の中実コア導波路がこの例では提供されており、各々が中実コア５を備える。各々の中実コア５は外側クラッド層３に埋め込まれており、そのため外側クラッド層３は、各々の中実コア導波路が外側クラッド層３によって提供されたクラッドによって包囲された中実コア５から形成されるように、中実コア導波路のためのクラッドとして作用する。６個の中実コア５は、この例では、中空コア導波路の周りで均等に離間されており、中空コア２の中心から等距離にあるが、より少ないかまたはより多くの中実コアが提供されてもよく、外側クラッド層の中で他の位置および分配で提供されてもよい。最後に、外側ジャケット７が外側クラッド層３の外面の周りに提供されており、外側クラッド層３を包囲している。外側ジャケットは、中空コア導波路（中空コア２、構造化された内側のクラッド１、および外側クラッド層３を備える）を定めるコアおよびクラッドと、中実コア導波路（中実コア５および外側クラッド層３を備える）を定めるコアおよびクラッドとの両方を包囲する共用または共通の層である。この例では、ジャケット７は被覆層であり、中空コア導波路および中実コア導波路を備え、外側クラッド層３の外面によって定められる内面を有する細長いファイバ素線６を保護する。同じくこの例では、外側クラッド層３は、中空コア導波路と中実コア導波路との両方にとって共通の単一の要素である。外側クラッド層３およびジャケット７は両方とも円形の断面を有するが、例えば、外側クラッド層３の中での中実コアの位置決めによって専用または一部専用とされるといった、他の形を取ってもよい。
【００３６】
図５は、第２の例による光ファイバ組立体の単純化された概略的な横断での断面図を示している。これは、中空コア導波路がフォトニックバンドギャップ導波ではなく反共振導波のために構成されていることを除いて、図４の例と同じ構成を有している。構造化された内側のクラッド１は、外側クラッド層３の内面の周りで均等に離間された６個の一次キャピラリ１４を備え、加えて、図３の例にあるように、各々の一次キャピラリ１４の内側に１つが入れ子にされている６個の二次キャピラリ１８を備える。したがって、中空コア導波路はＮＡＮＦ構造として構成されており、外側クラッド層３の中で接合された入れ子のキャピラリ１４、１８の輪によって形成された構造化された内側のクラッド１によって包囲された中空コア２を備える。先の例のように、中実コア導波能力が、構造化された内側のクラッド１の周りで円形の対称的な配置で埋め込まれた６個の中実コア５によって提供され、ジャケット７は外側クラッド３の外面を包囲している。
【００３７】
図６は、第３の例による光ファイバ組立体の単純化された概略的な横断での断面図を示している。第１の例と同様に、組立体２０は、ＨＣＰＢＦ導波構成をその中空コア導波路として有し、包囲する微小構造化されたキャピラリ配列を内側クラッド１として伴う中空コア２を備え、内側クラッド１は外側クラッド層３によってさらに包囲されている。外側クラッド層３は追加のクラッド層８によってさらに包囲されている。この例では、外側クラッド層３の屈折率および追加のクラッド層８の屈折率は、これらの２つの層が一緒に中実コア導波路として作用するように選択され、中空コア導波路を包囲する外側クラッド層３は中実コア導波路のコア５でもあり、一方、追加のクラッド層８は中実コア導波路のクラッドである。したがって、追加のクラッド層８はコア５／外側クラッド層３より小さい屈折率を有する。そのため、中空コア導波路は中実コア導波路の内部で同心または同軸で配置されており、共通の層が両方（コア５／外側クラッド層３）によって利用されており、２つが一緒になって細長いファイバ素線６を形成している。ファイバ素線６の外面はジャケット７によって覆われ、この例では、ファイバ素線６を保護するための被覆層である。組立体２０は円形の断面を有するが、例えば、コア５および追加のクラッド層８が内側クラッド１の多角形の断面を反映する多角形の断面といった、他の形が少なくとも一部の層について使用されてもよい。
【００３８】
図４、図５、および図６の例は、中空コア導波路と中実コア導波路との両方にとってクラッドまたはコアの層として機能する要素または層を各々有する。したがって、診断用導波路として中実コア導波路を使用する試験から得られる結果が中空コア導波路の状態を良好な正確性で反映すると仮定され得るように、導波路同士の間に密な機械的結合がある。しかしながら、層が両方の導波路の種類にとってコア／クラッドとして作用する光ファイバ組立体のこれらおよび同様の設計は、図７〜図１１の例など、それぞれの導波路のコアおよびクラッドが互いから分離している設計より、製作および使用するのが困難であり得る。しかしながら、分離した導波路を伴うこれらなどの設計は、中空コア導波路の状態または条件の正確な診断が行われ得る有用なレベルの機械的な結合をなおも提供する。
【００３９】
図７は、第４の例による光ファイバ組立体の単純化された概略的な横断での断面図を示している。組立体２０は、図４および図６の例にあるように、包囲する微小構造化されたキャピラリ配列を内側クラッド１として伴う中空コア２を備える中空コア導波路を備える。外側クラッド３が内側クラッド１を包囲している。組立体２０は、クラッド層８によって包囲された中実コア５を備える中実コア導波路も含む。クラッド８は、約１２５μｍの直径を伴う実質的に円形の断面を有し得るが、他の大きさが使用されてもよい。外側クラッド３とクラッド８とはこの例では全体として分離しており、両方の導波路にとってコアおよび／またはクラッドとして作用する要素はない。したがって、中空コア導波路および中実コア導波路は各々が個別のファイバ素線６ａ、６ｂである。ジャケット７は、両方のファイバ素線６ａ、６ｂを、外側クラッド３の外面およびクラッド８の外面にわたっての被覆の形態で包囲している。外側クラッド３とクラッド８との間に配置されたジャケット材料があるように、２つのファイバ素線６ａ、６ｂがこの例ではジャケット７の材料の中で分離されていることは留意されたい。他の設計では、素線６ａ、６ｂが接触していてもよい。素線６ａ、６ｂは、一部の状況では有用であり得る、光学的接触（導波路同士の間の光の結合）を可能にするように、または、例えば素線６ａ、６ｂの間のクロストークを最小限にするために、光学的接触を防止するように、配置されてもよい。２つのファイバ素線６ａ、６ｂは、ファイバ組立体２０の長さに沿って並んだ配置で互いと横並びで延びるように、それらの長手方向の軸が実質的に平行な状態で配置されてもよく、ファイバ組立体２０の外面はジャケット７によって形成される。ジャケット７によって提供される被覆は、内部のファイバ素線６ａ、６ｂを保護する。ジャケットは、この例では実質的に円形の断面を有する。ジャケットのために使用される材料は、２つの導波路の素線６ａ、６ｂが「剥がされて」離される（組立体２０の長手方向に沿って分離される）ことができるように、容易に裂けるかまたは切られる物質とでき、これは、それらの異なる目的のために使用できるように、光学機器または他の長さの光ファイバへの導波路の結合において支援できる。複数の中実コアファイバを組み込む同様の構造の光ファイバ組立体だけが、多要素ファイバ（ＭＥＦ：Ｍｕｌｔｉ−Ｅｌｅｍｅｎｔ  Ｆｉｂｒｅ）としばしば称され、高出力レーザー、増幅器配列、およびファイバ伝送線の状況において以前に使用が見いだされていた［７］。
【００４０】
図８は、第５の例による光ファイバ組立体の単純化された概略的な横断での断面図を示している。組立体２０は１つの中空コア導波路と１つの中実コア導波路とを備える。中空コア導波路は、内側クラッド１としてのキャピラリの微小構造化された配列によって包囲された中空コア２を備え、内側クラッド１は外側クラッド３によってさらに包囲されている。外側クラッド３の外面には、第１の被覆光ファイバ素線６ａを提供するために被覆層９ａが設けられている。中実コア導波路は、クラッド層８によって包囲された中実コア５を備え、クラッド層８の外面には被覆層９ｂが設けられている。これは第２の被覆光ファイバ素線６ｂを提供している。被覆層が、単一の層であり得る、または、２つ以上の層を備え得ることは留意されたく、これは後でより詳細に検討されている。２つの被覆されたファイバ素線６ａ、６ｂは、図７の例における被覆されていないファイバ素線と同様の並んだ配置とされており、それらの長手方向軸は互いと実質的に平行に延びている。この位置において、被覆されたファイバ素線６ａ、６ｂは、ジャケット７に埋め込まれる、または、ジャケット７によって包囲され、組立体２０の外側層を形成する。この例では、ジャケット７は、ファイバ素線６ａ、６ｂを光ファイバリボンまたはリボンケーブルへと組み合わせるための手段であるリボン状の筐体または層として、成形および構成されている。Ｆａｒｂｗｅｒｋｅ  Ｈｅｒｋｕｌａ（登録商標）  ＳＡ／ＳＧ  （Ｓａｎｋｔ  Ｖｉｔｈ，  Ｂｅｌｇｉｕｍ）から入手可能なＦｉｂｒｅＣｏａｔ  ８２７Ｆなど、紫外線硬化アクリレートなどの材料がリボン状の層のために使用されてもよい。リボン状の層は、２つ以上の積層された要素または層を備えてもよい。リボンとして形成された組立体は、組立体の横断の断面にわたって直線的な配列で配置された長手方向で平行ないくつかの光ファイバ素線を含む。配列は、一列のファイバ素線、または互いに重ねられた２つ以上の列を備えることができるが、配列全体は、列の数より大きい素線の数を列の中に伴う平坦な長方形を典型的には有する。配列は、適切な被覆層（ジャケット７）における封入によってこの形で維持され、被覆層は、典型的には、素線の配列の平坦で平面状の外形を全体として保ち、そのため用語の「リボン」を保つ。リボン状のジャケットの層の材料は巻回可能であり得る［８］。図８の例は特に単純であり、２つだけのファイバ素線６ａ、６ｂを備え、典型的には、より多くの数のファイバ素線がリボンの内側で一緒にグループ化される。具体的には、複数の中空コア導波路が含まれ得る。リボンが展開のためにファイバケーブルとして直接的に使用されてもよく、または、１つまたは複数のリボンが、ケーブルを作り出すために、１つもしくは複数の追加のジャケットもしくは被覆の内側で一体に位置決めまたは束ねられてもよい。２つの被覆層９ａ、９ｂの間に配置されたジャケット材料があるように、２つのファイバ素線６ａ、６ｂがこの例ではリボンのジャケット７の材料の中で分離されていることは留意されたい。他の設計では、素線は、配列における隣接の１つまたは複数の素線と接触していてもよい。
【００４１】
図９は、第６の例による光ファイバ組立体の単純化された概略的な横断での断面図を示している。組立体２０は２つの中空コア導波路と１つの中実コア導波路とを備える。各々の中空コア導波路は、内側クラッド１としてのキャピラリの微小構造化された配列によって包囲された中空コア２を備え、内側クラッド１は外側クラッド３によってさらに包囲されている。外側クラッド３の外面には、被覆中空コア光ファイバ素線６ａを提供するために被覆層９ａが設けられている。そのため、組立体２０は２つのこのような素線６ａを備える（望まれる場合にはより多くが含まれ得る）。中実コア導波路は、クラッド層８によって包囲された中実コア５を備え、クラッド層８の外面には被覆層９ｂが設けられている。これは被覆中実コア光ファイバ素線６ｂを提供している。３つの素線６ａ、６ｂ（望まれる場合には追加の素線を加えて）が長手方向に平行な配置で一緒にグループ化されているが、それらは、図８のリボンの例の直線的な平坦の配列と対照的に、束を形成していることは留意されたい。また、３つの素線６ａ、６ｂは互いと接触している外面を有するが、これは必須ではない。素線６ａ、６ｂは、すべての素線の被覆層９ａ、９ｂを包囲し、素線同士を一緒に封入する内側緩衝層１１によって一緒に束ねられている。内側緩衝層１１は、この例では外側緩衝層であるジャケット７によってさらに包囲されている。緩衝層は、ポリマ被覆から形成でき、ファイバ素線６ａ、６ｂを損傷から保護するように、および、ファイバ素線６ａ、６ｂを所望の空間的関係（互いとの接触または互いからの隔離）へ固定するように作用し得る。緩衝層は、噴霧、浸漬、および押し出しを含む技術によって適用され得る。この例は、例えば異なるポリマ材料から成り得る２つの緩衝層を示しているが、個々の被覆ファイバ素線６ａ、６ｂを両方とも封入し、組立体２０のジャケット７を提供する単一の緩衝層が使用されてもよい。内側緩衝層１１および外側緩衝層１２について適切な材料の例はそれぞれ、Ｆａｒｂｗｅｒｋｅ  Ｈｅｒｋｕｌａ  （登録商標）  ＳＡ／ＡＧ  （Ｓａｎｋｔ  Ｖｉｔｈ、Ｂｅｌｇｉｕｍ）から両方とも入手可能であるＦｉｂｒｅＣｏａｔ８３０／８０１およびＦｉｂｒｅＣｏａｔ８３１／８１４である。
【００４２】
図１０は、第７の例による光ファイバ組立体の単純化された概略的な横断での断面図を示している。組立体２０は１つの中空コア導波路と１つの中実コア導波路とを備える。中空コア導波路は、内側クラッド１としてのキャピラリの微小構造化された配列によって包囲された中空コア２を備え、内側クラッド１は外側クラッド３によってさらに包囲されている。外側クラッド３の外面には、被覆中空コア光ファイバ素線６ａを提供するために被覆層９ａが設けられている。中実コア導波路は、クラッド層８によって包囲された中実コア５を備え、クラッド層８の外面には被覆層９ｂが設けられている。これは被覆中実コア光ファイバ素線６ｂを提供している。望まれる場合、さらなる被覆中空コアファイバ素線および／またはさらなる被覆中実コアファイバ素線が含まれ得ることは留意されたい。２つの素線６ａ、６ｂは、長手方向に平行な配置で一緒にグループ化されており、組立体２０の外側層を備え、この例では中空管の形態を有するジャケット７の中に配置されている。剛性または柔軟性であり得る管がファイバ素線６ａ、６ｂを保護している。管からの適切な材料の例はポリブチレンテレフタレート（ＰＢＴ）である。管は円形の断面を有し、そのためその内部容積は円筒形である。ファイバ素線６ａ、６ｂは、この容積内で密に詰められていても詰められていなくてもよく、そのため接触していてもよいし、図示されているように離間されていてもよく、または、容積内で自由に移動してもよい。概して、容積にはファイバ素線６ａ、６ｂによって占められないいくらかの空間がある。有用であるように、これは充填材料１３で満たされ、充填材料１３は、気体、ゲル、固体、またはこれらの選択肢の混合物であり得る。固体またはゲルの充填剤は、例えば、ファイバ素線６ａ、６ｂの空間的な配置をより良好に維持するように、および、ファイバ素線６ａ、６ｂを保護するのを助けるように、作用できる。さらに、充填材料１３は、水または他の液体が充填材料１３を通るのを阻止または防止し、それによって、管状のジャケット７の内部への水の侵入がある場合にファイバ素線６ａ、６ｂを水から保護する点において、防水性であり得る。適切な材料の例には、Ｉｎｆｏ−Ｇｅｌ（Ｃｈａｒｌｏｔｔｅ、Ｎｏｒｔｈ  Ｃａｒｏｌｉｎａ、ＵＳＡ）から入手可能な防水ゲル、および、Ｒｏｂｌｏｎ  Ａ／Ｓ（Ｆｒｅｄｅｒｉｋｓｈａｖｎ、Ｄｅｎｍａｒｋ）から入手可能な水で膨潤可能な糸がある。
【００４３】
図１１は、第８の例による光ファイバ組立体の単純化された概略的な横断での断面図を示している。組立体２０は、３つの中空コア導波路と３つの中実コア導波路とを含むが、より多くかまたはより少ないいずれかまたは両方の導波路が代替の設計において含まれてもよい。各々の中空コア導波路は、内側クラッド１としてのキャピラリの微小構造化された配列によって包囲された中空コア２を備え、内側クラッド１は外側クラッド３によってさらに包囲されている。外側クラッド３の外面には、被覆中空コア光ファイバ素線６ａを提供するために被覆層９ａが設けられている。各々の中実コア導波路は、クラッド層８によって包囲された中実コア５を備え、クラッド層８の外面には被覆層９ｂが設けられている。これは被覆中実コア光ファイバ素線６ｂを提供している。各々のファイバ素線６ａ、６ｂは、剛性または柔軟性であり得る中空管２１の中に配置されている。各々の管は、この例では、ファイバ素線６ａ、６ｂを内部において中心で収容するために、円筒形の内部容積を定める円形の断面を有する。容積は、この例ではファイバ素線６ａ、６ｂより大きく、気体、ゲル、固体、またはこのような材料の混合物であり得る充填材料１３で満たされる。充填材料１３は、図１０に関して検討された適切な防水材料の例など、防水であり得る。各々がファイバ素線６ａ、６ｂを含む６つの管２１は、この例では円形の断面を有する中心の細長い強化体または強化部材１５の周りに輪の配置でグループ化されている。強化体１５は、例えば、ガラス強化プラスチック（ＧＲＰ）から作られ得るが、他の材料も排除されない。管２１は、強化体１５および輪の周りの２つの隣接する管２１と各々接触しているが、代替で、隣接する管同士の間に、および／または、管２１と強化体１５との間に、いくらかの分離があってもよい。例えば、間隔要素が位置決めを助けるために含まれてもよい。個々の導波路の長手方向軸は実質的に互いと平行であり、そのため、導波路は実質的に真っ直ぐの線を各々辿ることができる、または、実質的または大まかに一定のコアからコアへの間隔または分離を伴って、互いの周りで撚られ得るかもしくは他のいくらか湾曲した線を辿ることができる。中心の強化体１５と６つの管２１とを備えるグループは、ジャケット７を提供するために、ジャケット材料による被覆によって封入または束ねられる。ジャケット７はすべての導波路を包囲し、外側層を組立体２０に提供する。ジャケット７のための適切な材料の例は低発煙ゼロハロゲンポリマであるが、他のポリマ、および、実際には他の材料が使用されてもよい。
【００４４】
２つ以上の強化体が組立体に含まれてもよいことは留意されたい。例のうちのいずれかに則している組立体は、１つまたは複数の強化体を含み得る。強化体は、ファイバ素線を含む管のグループまたは配列、または、被覆もしくは未被覆のファイバ素線のグループまたは配列の中で、中心に配置されてもされなくてもよい。また、図１１の例に則している組立体は、強化体がなくてもよい、および／または、１つだけの中空コア導波路と１つだけの中実コア導波路とを各々それ自体の管において含んでもよい。
【００４５】
図示されている例は、各々の場合で特定の種類の中空コア導波路を示しているが、任意の中空コア導波路の種類が、組立体の任意の構成において使用できる。任意の組立体は、１つもしくは２つ以上の中空コア導波路、および／または、１つもしくは２つ以上の中実コア導波路を含んでもよい。複数の導波路を伴う構成では、すべての中空コア導波路は、同じ種類であってもなくてもよく、または、ある種類のうちの同じ設計であってもなくてもよく、すべての中実コア導波路は同じであっても同じでなくてもよい。
【００４６】
本開示による光ファイバ組立体は、記載したものに加えてさらなる層または要素を含んでもよい。追加的に、緩衝材料またはバインダ材料の層が含まれてもよく、様々な記載した層の間に中間層が追加されてもよく、または、さらなる外側層が追加されてもよい。例による組立体、または当業者に明らかとなるその変形は、直接的に光ファイバ伝送ケーブルとしての展開のために適し得る、または、展開可能なケーブルとして適した構造を提供するために、適切な外側層、被覆、もしくはジャケットの内側で他の組立体と一体にグループ化または束にさせられ得る。例えば、図４〜図１０の例に則している組立体は、当業者に知られている多くの設計があるケーブルへと組み込むことができる。ケーブルは、当業者に知られているような、強化部材、バインダテープ、アラミド糸、水で膨潤可能な糸、ガラスロービング、火炎遮蔽テープ、およびリップコードなどの追加の要素を備え得る。
【００４７】
図４および図５の例を参照すると、細長い光ファイバ素線６は、中実コアの診断用導波路の各々の個々の識別を可能にするために識別子または識別手段を追加的に備え得る。識別子は他の例で使用されてもよい。
【００４８】
例のうちの一部に含まれる導波路の被覆は、アクリレートまたはシリコーンなどの任意の適切な材料のものであり得る。また、被覆層９ａ、９ｂは、被覆材料の単一の層であり得る、または、異なる材料のものであってもなくてもよい一次被覆層および二次被覆層を備え得る。この種類の二重層の被覆構造は、各々の個々の光ファイバまたは導波路の固有のマイクロベンド感度を低減するために使用できると共に、個別に合わせた機械的な保護を提供する。一次被覆に適した例の材料はＤｅＳｏｌｉｔｅ（登録商標）ＤＰ１０３２であり、二次被覆に適した例の材料はＤｅＳｏｌｉｔｅ（登録商標）ＤＳ２０４２であり、両方ともＤＳＭ  Ｆｕｎｃｔｉｏｎａｌ  Ｍａｔｅｒｉａｌｓ（Ｈｏｅｋ  ｖａｎ  Ｈｏｌｌａｎｄ、Ｎｅｔｈｅｒｌａｎｄｓ）から入手可能である。
【００４９】
光ファイバケーブルと、光ファイバケーブルに含まれるための２つ以上の光ファイバの組立体を製作するための既存の技術が、少なくとも１つの従来のファイバを中空コア導波路で置き換える一方で、中実コア導波路をなおも含むことで、本開示による光ファイバ組立体およびケーブルを製作するために使用され得る。中空コア導波路を製作するための様々な技術が知られており［９、１０］、１つまたは複数の中実コア導波路と一緒に光ファイバ組立体に含まれるための１つまたは複数の中空コア導波路を得るために使用できる。任意の知られている技術が中実コア導波路を製作するために使用できる。中空コア導波路が中実コア導波路の中に同軸で配置されている図６の例を具体的に参照すると、プラズマに基づく気相堆積技術が、ファイバ素線６が引き出されるプリフォームの外側クラッド層３／コア層５の上に追加のクラッド層８を堆積させるために使用され得る。中実コア導波路のクラッドが中空コア導波路の外側クラッドでもある図４および図５の例について、中実コア５は、ファイバ素線のためのプリフォームが組み立てられるときに外側クラッド３の材料に埋め込むことができ、すべての導波路をプリフォームから単一の素線で一緒に引き出すことができる。中空コア導波路および中実コア導波路の各々のための未被覆のファイバ素線がジャケット被覆の内側で束ねられる図７の例を参照すると、２つのファイバ素線が、１つが各々の導波路のための２つのプリフォームから同時に引き出され得る。プリフォームがチャックにおいて隣接して保持される場合、ファイバ引き出しの間のチャックの回転は、２つのファイバ素線を一緒に撚ることができる［１１］。その後、ジャケットが適用され得る。
【００５０】
光信号伝送用途のための１つまたは複数の中空コア導波路を含むファイバ組立体における少なくとも１つの中実コア導波路の組み込みは、既存の光ファイバの試験および診断の技術を、従来の試験機器を使用してファイバ組立体で実施させることができるが、従来の試験は中空コア導波路との使用には十分に適していない。
【００５１】
図１２は、本開示による光ファイバ組立体を使用して実施される試験の例の方法におけるステップの流れ図を示している。第１のステップＳ１において、本開示による光ファイバ組立体を少なくとも１つ含むかまたは備える光ファイバケーブルが、組立体における中空コア導波路によって定められる光信号伝送経路を提供するために展開される。ステップＳ２では、展開の最中または後に、１つまたは複数の試験光信号（約３００ｎｍから約３０００ｎｍの間の波長または波長の帯域を伴う電磁放射を含む）が、経路の第１の端に近接して、組立体における中実コア導波路へと放たれる。ステップＳ３では、中実コア導波路から放出された１つまたは複数の試験光信号の一部分が、経路の第１の端と、経路の第１の端と反対の第２の端との一方または両方に近接して検出される。光は、中実コアファイバの端から放出され得る、または、ファイバの側面から散乱させられ得る。ステップＳ４では、試験光信号の検出された一部分が、中実コア導波路の状態または条件を決定するために分析され、その状態または条件は、（標準的なファイバ試験によれば）導波路が光をどれだけ良好または不十分に伝搬することができるかどうかである。ステップＳ５では、中空コア導波路の状態が、中実コア導波路の決定された状態の近似であるとして推測される。最後に、ステップＳ６において、光ファイバケーブルまたはその要素が、中空コア導波路の推測された状態に応じて、光信号伝送について動作可能または動作不可能として指定される。ビジュアルファイバトレーサ、ビジュアルフォルトロケータ、光時間領域後方散乱測定法、および光周波数領域反射測定方法を含め、従来の中実コアファイバケーブルとの使用のために開発された任意の光ファイバ試験手順が使用できる。視覚的な試験方法の場合、試験光信号の「検出」および「分析」は、試験者による視覚的な観察、ならびに、試験者の知識および経験に基づくその観察の評価を含むだけの可能性もあることは留意されたい。
【００５２】
図１２の方法は、展開されていない、または、光信号伝送のためにまだ展開されていない中空コア導波路を組み込む光ファイバ組立体を試験するために適用されてもよく、その場合、光信号伝送経路は、中空コア導波路を通じた、ファイバ組立体の長さに沿っての光伝搬路でしかない。
【００５３】
しばしば、光ファイバケーブルは、単一のジャケットの中に、信号伝送のために意図された多くの光ファイバまたは導波路（例えば、数百のファイバ）を備えることになる。ケーブルが、ケーブル形式へと一緒にパッケージ化された本明細書における様々な例による複数の組立体から形成され得る。これらの場合、ケーブル全体を、上記のステップＳ６におけるように光信号伝送について動作不可能として指定することは必要ではない。ケーブルにおける多くの中空コアファイバがなおも使用可能であり得る。したがって、試験方法において、光ファイバケーブルが、ステップＳ６において、動作可能の指定および動作不可能の指定への代替として、一部動作不可能として指定されてもよい。試験において不十分な状態または条件を示す、中実コア導波路と近接しているかまたは関連付けられた１つまたは複数の中空コア導波路は動作不可能として指定でき、ケーブル全体は一部動作不可能（または一部動作可能）として指定される。例えば、ケーブルは、図９の組立体など、本明細書に記載されているような複数の組立体を備え得る。不十分な条件を示す中実コア導波路は、同じ組立体の中の中空コア導波路を動作不可能として指定させることができる。次に、光ファイバケーブルが光信号伝送のための役務に司られるとき、動作不可能な組立体における中空コア導波路は使用されない。
【００５４】
本開示による光ファイバ組立体またはケーブルの中で、中空コア導波路および中実コア導波路は、先に述べたように、それらのコアが組立体またはケーブルの長手方向の延在に実質的に沿って平行な状態で配置される。同じく先に述べたように、これは、組立体の中で真っ直ぐである導波路への限定を意味することはなく、コアからコアへの間隔が長さに伴って大まかに一定であることを示しているだけである。光ファイバケーブルは、導波路またはファイバ（または、２つ以上の導波路を備える要素／組立体）が一緒に撚られるかまたは対にされる「撚線」の構成を一般的に有する。螺旋の撚線となった各々の導波路または要素は、ケーブルの長手方向軸の周りで、方向が左巻き（Ｓ）または右巻き（Ｚ）であり得る螺旋の経路を辿る。ＳＺの撚線では、撚り合わされた撚線がＳ方向とＺ方向との間で数巻回ごとに交互になる［１２］。螺旋状に撚線とされたケーブルを製造するための装置は、概してより単純であるが、製作され得るケーブルの長さにおいて制限され、一方、ＳＺ撚線ケーブルは、より長い長さで、はるかにより速い速度で製作できる。これらの撚線の構成および他の撚線の構成は、本明細書における「平行」の範囲内にあると見なされ、本開示による光ファイバ組立体はこれらの方法において構成され得る。
【００５５】
記載した方法は、組立体が光ファイバケーブルへと組み込まれても組み込まれなくても、本明細書において記載されているように光ファイバ組立体を使用することで採用され得る。「光ファイバケーブル」という用語は、意図されている伝送のために展開させることができるように堅牢または頑丈である形式を提供するためにパッケージ化される、光信号の伝送のために意図されている１つまたは複数の光ファイバを覆うように意図されている。光ファイバは多くの使用を有し、そのため、組立体は、信号伝送のための展開に適したパッケージ化が、含まれていない、または、他の目的に適したパッケージ化で適合されるかもしくは置き換えられる他の用途に向けられた形式で、代わりに提供されてもよい。方法は、中実コアファイバを使用することで、組立体における中空コアファイバを試験するためになおも使用できる。同様に、方法は、ケーブル形式にまだパッケージ化されていない組立体における中空コアファイバを試験するために使用できる。
【００５６】
図１３は、図１２の例などの方法を使用する試験の下での光ファイバ組立体（光ファイバケーブルに、または、光ファイバケーブルとして含まれる、または、含まれない）の単純化された概略的な描写を示している。細長い光ファイバ組立体２０は、第１の端２０ａと、第２の端２０ｂと、少なくとも１つの中空コア導波路２５と、第１の端２０ａから第２の端２０ｂへとその長さに沿って延びる少なくとも１つの中実コア導波路２６とを有する。試験のために、光源３０からの試験光３２（電磁放射）が、組立体２０の第１の端２０ａに近接して中実コア導波路２６へと放たれる。実行される試験に依存して、試験光３２は、特定の波長を有し得る、または、幅広いスペクトル（白色光）であり得る。典型的には、波長または波長の帯域は、３００ｎｍから３０００ｎｍの範囲内にあり、パルスの形態であり得るかまたは連続放出であり得る。試験光３２は、その一部分３４Ｔが組立体２０の遠くの第２の端２０ｂに到達するように、中実コア導波路２６に沿って伝搬する。これは、中実コア導波路２６に沿って伝送された試験光の一部である。試験光の一部は、中実コア導波路２６の中の特徴から反射または後方散乱させられ、一部分３４Ｒを与えるように中実コア導波路２６に沿って第１の端２０ａへと後へ戻る。これらの一部分３４Ｔ、３４Ｒのいずれかまたは両方は、組立体の端２０ａ、２０ｂに近接する検出器３６によって検出できる（視覚的な試験方法について、「検出器」は単に試験者の目であってもよい）。検出された試験光は中実コア導波路２６の状態を示し、そこから、図１２を参照して記載されているように、中空コア導波路２５の状態が推測できる。
【００５７】
診断用中実コア光導波路と中空コア光導波路とを内部に有するファイバ組立体の構成では、共用のジャケットは両方の光導波路によって分かち合って経験される共通の機械的環境を作り出す。破断、曲げ（マイクロベンドおよびマクロベンド）、または他の歪みなど、組立体の任意の機械的阻害は、その完全な性能の能力もしくはその近くにおいて、または、実際には完全に、中空コア光導波路が光を伝搬するのを阻止し得る。ジャケットによって作り出される分かち合いの機械的環境は、中空コア導波路と共通して、中実コア導波路に任意のこのような阻害を経験させることができる。したがって、中実コア導波路に適用される光ファイバ試験技術によって特定された任意の伝搬の懸念、問題、または不具合は、中空コア導波路にも存在すると仮定でき、これは、両方の導波路が、共通の環境のため、任意の機械的阻害によって同じかまたは同様の様態で影響されると見なされるためである。この方法では、中実コア導波路における光の伝搬を試験することから得られる測定は、中空コア導波路の現在の伝搬能力を反映するかまたはそのまま伝えると見なされる。したがって、中実コア導波路は、中空コア導波路の阻害を特定または診断するために使用できる。
【００５８】
ジャケットが、両方の導波路を取り囲むことで、分かち合いの機械的環境を提供する光ファイバ組立体の構成要素であり、中実コア導波路のクラッドおよび中空コア導波路の外側クラッドの外にかまたはそれらの向こうに位置する構造層であることは、留意されたい。組立体の構成に依存して、ジャケットは異なる材料を含み、機械的環境に加えて異なる機能を提供し得る。例えば、図４、図５、および図６の例では、ジャケットは１つまたは複数の被覆層を備え、したがって、光ファイバ素線（図１を参照して検討されたようなもの）として組立体を構成するために被覆を提供し、光学的機能、機械的機能、および物理的保護を果たす。図７の例では、ジャケットは同様の被覆層であり得るが、導波路の差別化された別の特質は、被覆が同じ機能を生成するが、組立体が光ファイバ素線を厳密に示していないことを意味する。被覆の層を含め、導波路のクラッドとジャケットとの間の中間に要素がある図８、図９、図１０、および図１１の例では、ジャケットは、光学的な機能なしで、機械的な機能と物理的な保護とを主に提供する。
【００５９】
分かち合いの機械的環境は、中実コア導波路と中空コア導波路との間に機械的な関係または結合を提供し、その存在は、中実コア導波路において検出された阻害が中空コア導波路にも存在し、そのため診断が意味を持つという仮定を正当なものにする。中実コア導波路は中空コア導波路と物理的に近接して位置付けられ、前述の例では、この関係は包囲するジャケットによって維持されている。物理的な近接は、導波路らの構成要素（コア、クラッド、または任意の被覆層）同士の間の物理的接触を伴っても伴わなくてもよい。したがって、隣接の導波路同士の間に介在するいくらかの材料があってもよく、構成に応じて、これはジャケットの材料であってもよい、または、導波路とジャケットとの間に、充填剤もしくはバインダ材料など、いくらかの他の材料があってもよい。全体として、中空コア導波路、中実コア導波路、およびジャケットを備える構造は、両方の導波路が、同じかまたは同様の様態で、組立体への外部の物理的な効果または影響を経験するように構成される。有用であるように、中空コア導波路と中実コア導波路とは、それらのコアが、組立体、および、組立体が組み込まれ得るより大きなファイバケーブルまたはファイバの束の全体の構造の任意の制約内で、できるだけ近くで離間されるように配置され得る。この種類の近接は、診断の正確性を最大限にするために、２つの導波路の経験を、同じにさせることができる、または、高い度合いもしくは有用な度合いの類似性を持たせることができる。
【００６０】
図４、図５、および図６の組立体などの一部の例では、典型的にはシリカから形成される共用のクラッド層が、中実コア導波路と中空コア導波路との間の機械的な結合に実質的に寄与する。図７および図９の組立体に則している例では、様々なファイバ素線が埋め込まれている材料（ジャケット７または充填剤１１の材料）におけるそれら素線同士の間の近接または接触は、機械的な結合を助ける。例えば、複数の中空コア導波路素線が、中心の中実コア導波路素線の周りに、隣接する中空コア導波路素線と中実コア導波路素線とが接触して、または、非常に近くで離間してのいずれかで、輪になって配置できる。
【００６１】
機械的な結合は、組立体において剛性の材料を含むこと、および／または、組立体における柔らかい材料の最小限の使用によって、高められてもよい。これらの２つの基準は、実用的または実行可能な組立体を提供するために、互いと調和させられる必要があり得る。ナイロンおよびＨｙｔｒｅｌ（登録商標）などの材料は、ＰＢＴおよび紫外線硬化アクリレート（前述している）などのより剛性のない材料をそれぞれ置き替えることができる。しかしながら、一部の材料の柔らかさは、マイクロベンドからの導波路の効果的な保護に望ましい可能性があり得る。柔らかい材料を含むことは、充填材料を利用する組立体において、充填材料の体積を最小限にすることで低減され得る。例えば、体積は、（図９、図１０、および図１１の例などにおいて）ジャケットとして作用する管の中に、ファイバ素線と同様の直径の低発煙ゼロハロゲンポリマ、Ｈｙｔｒｅｌ（登録商標）、ナイロン、または同様の材料の細長い素線を含むことで低減され得る。ここでも、この手法と、マイクロベンドからのいくらかの保護を維持することとの間で、妥協が行われるべきである。
【００６２】
中実コア導波路の状態の試験からの中空コア導波路の状態の診断は、１つまたは複数の光学的な性質または特性（つまり、導波路の光学的な伝搬の仕様を決定する特徴）が中空コア導波路と中実コア導波路との間で調和させられる場合、高めることができる。調和は、外部からの機械的な阻害によって引き起こされるこれら導波路の光学性能への効果を、より同様のものとすることができ、そのため、試験によって決定される中実コア導波路の測定された性能は、中空コア導波路の性能をより密に反映し、診断はより正確に行われる。「調和」という用語は、中実コア導波路の光学的な性質または特性が、中空コア導波路における性質または特性と同じ値または実質的に同じ値を有することを意味するように意図されており、性質は２つの導波路にわたって調和または近似させられる。また、調和は、中実コア導波路の性質が、中空コア導波路における性質の値の特定の割合もしくは百分率である値を有する場合、または、その割合もしくは百分率についての上限とその割合もしくは百分率についての下限との間の範囲内にある場合、達成されると見なすことができる。割合または百分率は、１未満もしくは１００％未満であり得る、または、１もしくは１００％を超え得る。
【００６３】
このような調和した性質の例はマイクロベンド感度であり、マイクロベンド感度は、一部の例の値および範囲の言及を含め、先に検討されている。マイクロベンドの調和は、２つの導波路によって支持される基本的な光学モードのフィールド径を同様になるよう調和させる一方で、同様の外径および被覆の提供もすることで達成され得る。
【００６４】
他の性質は、マイクロベンド感度を調和させることの追加または代替で、導波路にわたって調和させられ得る。前述したように、基本的なモードのモードフィールド径（ＭＦＤ）が調和させられ得る。例えば、中実コア導波路は、１５０％まで、１２０％まで、１００％まで、または、中空コア導波路のＭＦＤとほとんど等しいなど、中空コア導波路のＭＦＤの２００％までのＭＦＤを有し得る。他の例では、中実コア導波路は、中空コア導波路のＭＦＤの１０％〜２００％、１０％〜１５０％、５０％〜２００％、５０％〜１５０％、または８０％〜１２０％の範囲にあるＭＦＤを有し得る。また、導波路の外径は、同じ例の範囲のいずれかの中で調和させられてもよく、これは、ＭＦＤを調和させることと併せられ得る、または、ＭＦＤを調和させることとは別であり得る。中空コア導波路の外径は外側クラッドの直径であり、中実コア導波路の外径はクラッドの直径である。
【００６５】
また、マクロベンド損失は、中空コア導波路と中実コア導波路との間で調和させられ得る。例えば、中実コア導波路は、１５０％まで、１２０％まで、１００％まで、または、中空コア導波路のマクロベンド損失とほとんど等しいなど、少なくとも１つの波長において中空コア導波路のマクロベンド損失の２００％までのマクロベンド損失を有し得る。他の例では、中実コア導波路は、中空コア導波路のマクロベンド損失の１０％〜２００％、１０％〜１５０％、５０％〜２００％、５０％〜１５０％、または８０％〜１２０％の範囲にあるマクロベンド損失を有し得る。
【００６６】
調和させられ得るさらなる性質は、マイクロベンドおよびマクロベンドなどの損失の他の特定の原因なしで、導波路に沿っての伝搬の間に失われる光出力の大きさである、２つの導波路の固有のバックグラウンド減衰である。例えば、中実コア導波路は、９０％まで、８０％まで、７０％まで、または５０％までなど、少なくとも１つの波長において中空コア導波路の減衰の１００％までの減衰を有し得る。他の例では、中実コア導波路は、中空コア導波路の減衰の２０％〜１００％、２０％〜８０％、５０％〜１００％、または５０％〜８０％の範囲にある減衰を有し得る。
【００６７】
また、温度感度が調和させられてもよく、温度感度は、導波路の１つまたは複数の特性が温度における変化によって変更される量を含む。例えば、中実コア導波路は、１５０％まで、１２０％まで、１００％まで、または、中空コア導波路の感度とほとんど等しいなど、少なくとも１つの波長において中空コア導波路の温度感度の２００％までの温度感度を有し得る。他の例では、中実コア導波路は、中空コア導波路の温度感度の１０％〜２００％、１０％〜１５０％、５０％〜２００％、５０％〜１５０％、または８０％〜１２０％の範囲にある温度感度を有し得る。
【００６８】
任意の組立体において、これらの性質のいずれかもしくは全部が中空コア導波路と中実コア導波路との間で調和させられてもよい、または、ジャケットによって提供される分かち合いの機械的環境が中実コア導波路と中空コア導波路との間に性能の適切な類似性を提供すると見なされる場合、性質は調和させられなくてもよい。組立体は、先に明示されたような最小限の導波路コアの間隔の追加または代替で、これらの例による１つまたは複数の調和した性質を有し得る。代替で、組立体が、診断を所与の状況において十分に正確にさせることができる適切な共通の機械的環境をなおも含む一方で、これらの特定の仕様のいずれも有さなくてもよい。より小さい間隔は、１つまたは複数の調和した性質と共に、正確性を高め得る。
【００６９】
中空コア導波路と中実コア導波路とが、分かち合いの機械的環境を経験するように機械的な関係または結合を有する一方で、導波路同士の間に光学的な関係または接触（これによって、伝搬する波が１つの導波路から他の導波路へと少なくとも部分的に結合できることが意味される）があってもなくてもよいことも留意されたい。異なる要件および状況に応じて、組立体における光学的な接触を可能にすることに便益があってもなくてもよい。前述した具体的な例を参照すると、光学的な接触は、図４、図５、図６、および図７の例において可能であり、図８、図９、図１０、および図１１の例においては、別々の導波路の周りに個々の被覆層（加えて、図１１の場合には追加の層）を含むおかげで可能ではない。光学的接触は図６の例に不可欠である。したがって、組立体の具体的な構成は、光学的接触が必要とされるかされないかに応じて選択され得る。
【００７０】
本明細書に記載された様々な実施形態は、請求された特徴を理解および教示するのを助けるだけのために提示されている。これらの実施形態は、実施形態の代表的な例としてのみ提供されており、包括的および／または排他的ではない。本明細書に記載された利点、実施形態、例、機能、特徴、構造、および／または他の態様は、請求項によって定められているような本発明の範囲における限定、または、請求項との等価における限定として見なされないことと、他の実施形態が利用でき、請求された発明の範囲から逸脱することなく変形が行われ得ることとは理解される。本発明の様々な実施形態は、本明細書において明確に開示されているもの以外に、開示されている要素、構成要素、特徴、部品、ステップ、手段などの適切な組み合わせを適切に含み得るか、そのような組み合わせから適切に成り得るか、または、そのような組み合わせから本質的に成り得る。また、本開示は、現在請求されていないが、将来において請求され得る他の発明を含む可能性がある。
【００７１】
（参考文献）
［１］  ＵＳ  ９，９０４，００８
［２］  ＷＯ  ２０１５／１８５７６１
［３］  Ｓ  Ｅ  Ｂａｒｋｏｕ  ｅｔ  ａｌ，  “Ｐｈｏｔｏｎｉｃ  ｂａｎｄｇａｐ  ｆｉｂｅｒｓ”，  ＬＥＯＳ  ’９９，  ＩＥＥＥ  Ｌａｓｅｒｓ  ａｎｄ  Ｅｌｅｃｔｒｏ−Ｏｐｔｉｃｓ  Ｓｏｃｉｅｔｙ  １９９９  １２ｔｈ  Ａｎｎｕａｌ  Ｍｅｅｔｉｎｇ，  ｖｏｌ．  ２  ＩＥＥＥ  １９９９
［４］  Ｊ  Ｂｒｏｅｎｇ  ｅｔ  ａｌ，  “Ａｎａｌｙｓｉｓ  ｏｆ  ａｉｒ−ｇｕｉｄｉｎｇ  ｐｈｏｔｏｎｉｃ  ｂａｎｄｇａｐ  ｆｉｂｅｒｓ”，  Ｏｐｔｉｃｓ  Ｌｅｔｔｅｒｓ  ｖｏｌ．  ２５（２）．，  ｐｐ  ９６−９８，  ２０００
［５］  Ｆｒａｎｃｅｓｃｏ  Ｐｏｌｅｔｔｉ，  “Ｎｅｓｔｅｄ  ａｎｔｉｒｅｓｏｎａｎｔ  ｎｏｄｅｌｅｓｓ  ｈｏｌｌｏｗ  ｃｏｒｅ  ｆｉｂｅｒ”，  Ｏｐｔ．  Ｅｘｐｒｅｓｓ，  ｖｏｌ．  ２２，  ｐｐ．  ２３８０７−２３８２８，  ２０１４
［６］  ＪＲ  Ｈａｙｅｓ  ｅｔ  ａｌ，  “Ａｎｔｉｒｅｓｏｎａｎｔ  ｈｏｌｌｏｗ  ｃｏｒｅ  ｆｉｂｅｒ  ｗｉｔｈ  ａｎ  ｏｃｔａｖｅ  ｓｐａｎｎｉｎｇ  ｂａｎｄｗｉｄｔｈ  ｆｏｒ  ｓｈｏｒｔ  ｈａｕｌ  ｄａｔａ  ｃｏｍｍｕｎｉｃａｔｉｏｎｓ”，  Ｊｏｕｒｎａｌ  ｏｆ  Ｌｉｇｈｔｗａｖｅ  Ｔｅｃｈｎｏｌｏｇｙ  ｖｏｌ．  ３５（３），  ４３７−４４２  （２０１７）
［７］  Ｓ  Ｊａｉｎ  ｅｔ  ａｌ，  “Ｍｕｌｔｉ−ｅｌｅｍｅｎｔ  ｆｉｂｅｒ  ｔｅｃｈｎｏｌｏｇｙ  ｆｏｒ  ｓｐａｃｅ−ｄｉｖｉｓｉｏｎ  ｍｕｌｔｉｐｌｅｘｉｎｇ  ａｐｐｌｉｃａｔｉｏｎｓ”，  Ｏｐｔｉｃｓ  Ｅｘｐｒｅｓｓ，  ｖｏｌ．  ２２（４），  ｐｐ．  ３７８７−３７９６  （２０１４）
［８］  ＵＳ  ２０１７／００３１１２１
［９］  ＵＳ  ８，２１５，１２９
［１０］  ＵＳ  ６，１５４，５９４
［１１］  ＵＳ  ６，８２６，３３５
［１２］  ＵＳ  ３，３２４，２３３
【符号の説明】
【００７２】
１  内側クラッド
２  コア
３  外側クラッド、外側クラッド層
５  中実コア
６  光ファイバ素線
６ａ  第１の被覆光ファイバ素線、被覆中空コア光ファイバ素線
６ｂ  第２の被覆光ファイバ素線、被覆中実コア光ファイバ素線
７  外側ジャケット、ジャケット
８  クラッド層
９ａ、９ｂ  被覆層
１０  ＨＣＰＢＦ、ファイバ
１１  内側緩衝層
１２  外側緩衝層
１３  充填材料
１４  一次キャピラリ
１５  強化体、強化部材
１６  接触の場所
１８  二次キャピラリ
２０  細長い光ファイバ組立体
２０ａ  第１の端
２０ｂ  第２の端
２１  管
２５  中空コア導波路
２６  中実コア導波路
３２  試験光
３４Ｒ、３４Ｔ  試験光の一部分
３６  検出器
【図１】
2022502717.tif 000003
【図２】
2022502717.tif 000004
【図３】
2022502717.tif 000005
【図４】
2022502717.tif 000006
【図５】
2022502717.tif 000007
【図６】
2022502717.tif 000008
【図７】
2022502717.tif 000009
【図８】
2022502717.tif 000010
【図９】
2022502717.tif 000011
【図１０】
2022502717.tif 000012
【図１１】
2022502717.tif 000013
【図１２】
2022502717.tif 000014
【図１３】
2022502717.tif 000015
【国際調査報告】
2022502717.tif 000016
2022502717.tif 000017
2022502717.tif 000018